(57)【特許請求の範囲】
【請求項１】
筒状物の内部に位置されてその長さ方向に送られる装置本体と、この装置本体に対して第１ヒンジを介して前記長さ方向に起倒可能に装置本体の周囲に取り付けられかつ装置本体との間に設けられる第１伸長器により起立方向に付勢されると共に筒状物内面に先端部が常時接触して前記装置本体を筒状物の中心に保つ放射方向の複数の保持脚と、前記装置本体の支持筒に対して回転可能に支持された旋回体と、この旋回体に対して第２ヒンジを介して前記筒状物の角度方向に起倒可能に旋回体の周囲に取り付けられかつ旋回体との間に設けられる第２伸長器により起立方向に付勢されると共に筒状物内面に先端部が常時接触できる放射方向の複数のノズル支持腕と、前記筒状物内面に近接しかつ前記放射方向に対して傾けられた状態で各ノズル支持腕の先端寄りの部分に固定された複数の高圧水ノズルとを備えることを特徴とする筒状物内面の洗浄装置。
【請求項２】
前記装置本体はその中心部に位置されて外部から高圧洗浄水が供給される高圧水管を備え、この高圧水管に対しては前記旋回体の中心部に固定される分配管がスイベルジョイントを介して接続され、この分配管から高圧洗浄水が前記高圧水ノズルに対して分配・供給されることを特徴とする請求項１記載の筒状物内面の洗浄装置。
【請求項３】
前記装置本体には前記筒状物の外部に位置される牽引・駆動装置の牽引手段を接続できる接手が設けられることを特徴とする請求項１または請求項２の何れかひとつに記載の筒状物内面の洗浄装置。
【請求項４】
前記分配管の先端には、前記筒状物の外部に位置される牽引・駆動装置の牽引手段を接続できる接手がスイベルジョイントを介して設けられることを特徴とする請求項２記載の筒状物内面の洗浄装置。
【発明の詳細な説明】
【０００１】
【発明の属する技術分野】
本発明は筒状物内面の高圧水洗浄を行う洗浄装置に関する。
【０００２】
【背景技術】
最近、例えば大型煙突や焼却キルンなどのような大型筒状物（建築物・装置）の内面洗浄を行う必要が増している。
つまり、これらの大型煙突や焼却キルンの内面には、ゴミなどの焼却により、ダイオキシン類、水銀、カドミウム、鉛、第２フツ価クロム、砒素、セレンなどの環境汚染物質が付着・残留するので、これらの環境汚染物質の処理を行う必要性が叫ばれつつある。
【０００３】
【発明が解決しようとする課題】
ちなみに、大型煙突や焼却キルンの保守管理作業時や解体工事の際には、高圧洗浄ノズルをもった作業員が筒状物の内部に入り、洗浄を行うことになるが、作業員自体を汚染物質被ばくから防御しなければならず、比較的狭い筒状物内部に高圧洗浄水飛沫が飛散状態となるため、視界の悪い、劣悪な作業条件となり、作業時間も制限され、工期も長くなる。
【０００４】
本発明の目的は、以上に述べたような従来の筒状物内面の洗浄作業の実状に鑑み、作業員が内部に入る必要がなく、外部操作で筒状物内面を確実に洗浄できる筒状物内面の洗浄装置を得るにある。
【０００５】
【課題を解決するための手段】
この目的を達成するため、本発明は、筒状物の内部に位置されてその長さ方向に送られる装置本体と、この装置本体に対して第１ヒンジを介して前記長さ方向に起倒可能に装置本体の周囲に取り付けられかつ装置本体との間に設けられる第１伸長器により起立方向に付勢されると共に筒状物内面に先端部が常時接触して前記装置本体を筒状物の中心に保つ放射方向の複数の保持脚と、前記装置本体の支持筒に対して回転可能に支持された旋回体と、この旋回体に対して第２ヒンジを介して前記筒状物の角度方向に起倒可能に旋回体の周囲に取り付けられかつ旋回体との間に設けられる第２伸長器により起立方向に付勢されると共に筒状物内面に先端部が常時接触できる放射方向の複数のノズル支持腕と、前記筒状物内面に近接しかつ前記放射方向に対して傾けられた状態で各ノズル支持腕の先端寄りの部分に固定された複数の高圧水ノズルとを備える筒状物内面の洗浄装置を提案するものである
【０００６】
後述する本発明の好ましい実施例の説明においては、
1)前記装置本体はその中心部に位置されて外部から高圧洗浄水が供給される高圧水管を備え、この高圧水管に対しては前記旋回体の中心部に固定される分配管がスイベルジョイントを介して接続され、この分配管から高圧洗浄水が前記高圧水ノズルに対して分配・供給される構造、
2)前記装置本体には前記筒状物の外部に位置される牽引・駆動装置の牽引手段を接続できる接手が設けられる構造、
3)前記分配管の先端には、前記筒状物の外部に位置される牽引・駆動装置の牽引手段を接続できる接手がスイベルジョイントを介して設けられる構造
が説明される。
【０００７】
【発明の実施の形態】
以下、図面について大型煙突Ｅ洗浄に用いる本発明の実施例の詳細を説明する。
図１は、クレーンブームＢの懸吊フックＦに対して、懸吊ワイヤＷ1を介して懸垂される本発明の洗浄装置Ａを示しており、大型煙突Ｅの内部に垂下される同洗浄装置Ａは懸吊フックＦの上下操作により大型煙突Ｅの長さ方向に送られる。
【０００８】
図２から図４は同洗浄装置Ａの詳細を示し、大型煙突Ｅの中心部に保たれる装置本体１０の上面には懸吊ワイヤＷ1を結合できる４個のＩボルト１１（第１接手手段）が設けられる。
また、図３に示すように、円筒状に作られる装置本体１０の外周には大型煙突Ｅの内周面ｅに向かって放射状に延長する４本の保持脚２１の基部が第１ヒンジ２２を介して起倒可能に取り付けられる。装置本体１０の角度方向に等配される同保持脚２１の先端部には前記内周面ｅにそれぞれ転接される第１従動輪２３が支持される。
【０００９】
前記各保持脚２１の中間部には基部を装置本体１０の外囲部に枢支する第１伸長器３２の先端部がピン接手され、内蔵スプリングにより伸長する習性を与えられた同第１伸長器３２により各保持脚２１は、対応第１ヒンジ２２を支点として一方向に回動される傾向にある。
したがって、洗浄装置Ａの装置本体１０は、各第１伸長器３２による保持脚２１の拡張力と内周面ｅに対する第１従動輪２３の接触により、常時、大型煙突Ｅの内周面ｅの中心部に保持される。また、保持脚２１及び第１伸長器３２の構造により、口径の異なった大型煙突Ｅや段付開口、テーパ開口の場合にも、自動的に対応できる構造が得られる。
【００１０】
前述した装置本体１０はその下部に連設された支持筒１１を有し、旋回体３０の従動枠３１が支持筒１２を中心として自由に旋回できるように支持される。即ち、ほぼ円筒形に製作される支持筒１２の円筒案内面１２ａには従動枠３１の内周面ｅに取り付ける複数のラジアル従動輪３３が転接され、大型煙突Ｅの長さ方向に対向した一対のスラスト受面１２ｂ，１２ｃには従動枠３１の内端面に支持する複数のスラスト従動輪３５，３６がそれぞれ転接される。
【００１１】
一方、図４に示すように、旋回体３０の外周面に固定する放射方向の４本の固定アーム３８の先端には、第２ヒンジ３９を介してノズル支持腕４１の基部がそれぞれ枢支され、これらのノズル支持腕４１の先端部に支持する第２従動輪４３は大型煙突Ｅの内周面ｅに臨まされる。
また、各ノズル支持腕４１の先端部寄りの部分には後述する高圧洗浄水を噴射できる高圧水ノズル５１がそれぞれ固定され、大型煙突Ｅの半径方向に対して傾けられた同高圧水ノズル５１からは大型煙突Ｅの内周面ｅに向かって矢印方向に高圧洗浄水が噴射される。
【００１２】
前記旋回体３０の外周部と各ノズル支持腕４１の中間部との間は、内蔵スプリングで伸長する習性を与えた第２伸長器４４でそれぞれ結合され、これらの第２伸長器４４の付勢により各ノズル支持腕４１は第２ヒンジ３９を中心として回動する傾向にある。
したがって、洗浄装置Ａの旋回体３０には、各第２伸長器４４によるノズル支持腕４１の拡張力と内周面ｅに対する第２従動輪４３の接触により、常時、大型煙突Ｅの内周面ｅの中心部に保持され、同時に、ノズル支持腕４１及び第２伸長器４４の構造により、口径の異なった大型煙突Ｅや段付開口、テーパ開口の場合にも、自動的に対応できる構造が得られる。
【００１３】
図２に戻って、装置本体１０の中心部には大型煙突Ｅの長さ方向に延長する高圧水管６１が固定され、この高圧水管６１に対しては接手エルボ５２に接続される高圧ホース（図示せず）から高圧洗浄水が供給される。
また、前記高圧水管６１の上端部には焼却キルンの洗浄時などに使用される第１ワイヤ接手７１（第２接手手段）が固定され、同高圧水管６１の下端部には第１スイベルジョイント６２を介して旋回体３０に固定する分配管６４が接続される。
【００１４】
前記分配管６４の下端部には第２スイベルジョイント６５を介して第２ワイヤ接手７２（第２接手手段）が接続され、焼却キルンの洗浄時に同第２ワイヤ接手７２及び前記第１ワイヤ接手７１に牽引ワイヤＷ2（牽引手段）を接続できる。また、前記分配管６４の中間部には十字管接手６７が固定され、この十字管接手６７に接続される高圧ホース６８を介して、高圧水管６１に導入した高圧洗浄水が前述した各高圧水ノズル５１に分配される。
【００１５】
図示実施例による洗浄装置Ａは、以上のような構造であるから、大型煙突Ｅの内面洗浄を行う場合、図１に示すように、懸吊フックＦなどに洗浄装置Ａを懸垂し、外部操作で同洗浄装置Ａを下降させながら、洗浄を行えばよい。
この場合、保持脚２１の第１従動輪２３が大型煙突Ｅの内周面ｅに常に弾力的に接触するので、内周面ｅの口径の変化や段差に拘わりなく、装置本体１０は大型煙突Ｅの中心に自動的に位置されることになる。
【００１６】
そして、洗浄装置Ａの下降の場合、ノズル支持腕４１の第２従動輪４３の転接により内周面ｅからの高圧水ノズル５１の位置が常に一定に保たれて、各高圧水ノズル５１から噴出される高圧洗浄水により大型煙突Ｅの内周面ｅの洗浄が行われる。
この噴出洗浄の際、これらの高圧水ノズル５１からの噴出方向が傾けられているため、高圧水ノズル５１からの噴出の反動で旋回体３０に回転トルクが生じ、旋回体３０が自動的に回転するから、洗浄装置Ａの下降に伴って、同内周面ｅ全体が洗浄されることになる。
【００１７】
また、図示実施例の洗浄装置Ａは、可燃物の焼却処理用の焼却キルンとして用いられる横型キルンにも使用できる。この場合、外部ウインチなどで操作される牽引ワイヤＷ2が第１ワイヤ接手及び前記第２ワイヤ接手に接続され、同牽引ワイヤＷ2により洗浄装置Ａが焼却キルンの長さ方向に送られることになる。
【００１８】
なお、前述した実施例では、円形断面の内周面ｅの場合を図示説明したけれども、図３及び図４に示すように、多角形断面の内周面ｅ1の場合でも充分に機能できる。
【００１９】
【発明の効果】
以上の説明から明らかなように、本発明によれば、作業員が内部に入る必要がなく、外部操作で筒状物内面を確実に洗浄できるばかりでなく、筒状物の内面にテーパや段差があっても、障害なく内面全体の洗浄を行うことができる。
また、本発明の洗浄装置は、高圧洗浄水の噴射時の反動を利用して旋回体を回転させるので、高圧水ノズルの回転のための特別の動力を必要とせず、口径の異なる広範囲の筒状物に適用できる効果がある。
【図面の簡単な説明】
【図１】煙突の内面洗浄時の本発明による洗浄装置の使用説明図である。
【図２】同洗浄装置の長さ方向全体断面図である。
【図３】同洗浄装置の上面図である。
【図４】同洗浄装置の底面図である。
【符号の説明】
Ａ        洗浄装置
Ｅ        大型煙突
ｅ        内周面
Ｆ        懸吊フック
１０      装置本体
１２      支持筒
２１      保持脚
３０      旋回体
３１      従動枠
３２      第１伸長器
４１      ノズル支持腕
４４      第２伸長器
５１      高圧水ノズル
６１      高圧水管
６２      第１スイベルジョイント
６４      分配管
６５      第２スイベルジョイント
６７      十字管接手
６８      高圧ホース
【図１】
0003812454.tif 000002
【図２】
0003812454.tif 000003
【図３】
0003812454.tif 000004
【図４】
0003812454.tif 000005